(57)【要約】【課題】タイト材を増やすことなく断熱性を向上することができる戸体およびこれを備えた建具を提供すること。【解決手段】扉３は、ドア枠２に対して開閉可能に取り付けられており、断熱芯材５３と、断熱芯材５３の屋外側に設けられた金属製の屋外面材５１と、断熱芯材５３の屋内側に設けられた金属製の屋内面材５２とを備える。屋内面材５２は、断熱芯材５３の屋内側に配置された屋内面部５２１と、屋内面部５２１から屋外側に折曲された屋内見込み片部５２２Ａ，５２２Ｂとを有する。屋内見込み片部５２２Ａ，５２２Ｂに対して屋内面材５２の面内方向における外側には、断熱樹脂材５４Ａ，５４Ｂが配置されている。断熱樹脂材５４Ａ，５４Ｂは、屋内見込み片部５２２Ａ，５２２ＢによってＹ軸方向およびＺ軸方向における移動が規制されている。【選択図】図１
2019108670.tif 000002
【特許請求の範囲】
【請求項１】
建具枠に対して開閉可能に取り付けられる戸体であって、
断熱芯材と、
前記断熱芯材の屋外側に設けられた金属製の屋外面材と、
前記断熱芯材の屋内側に設けられた金属製の屋内面材とを備えており、
前記屋内面材は、前記断熱芯材の屋内側に配置された屋内面部と、前記屋内面部から屋外側に折曲された折曲片部とを有しており、
少なくとも一部が、前記折曲片部に対して前記屋内面材の面内方向における外側に配置された断熱樹脂材を有しており、
前記断熱樹脂材は、前記折曲片部によって前記戸体の面内方向および面外方向における移動が規制されている
ことを特徴とする戸体。
【請求項２】
請求項１に記載の戸体において、
前記屋外面材は、前記断熱芯材の屋外側に配置された屋外面部と、前記屋外面部から屋内側に折曲された屋外見込み片部とを有しており、
前記屋外見込み片部および前記折曲片部は、前記断熱樹脂材を挟んで互いに締結されており、
前記断熱樹脂材および前記折曲片部のうちの一方は、屋内溝部を有しており、
前記断熱樹脂材および前記折曲片部のうちの他方は、前記屋内溝部によって形成された溝空間に配置される保持片部を有している
ことを特徴とする戸体。
【請求項３】
請求項２に記載の戸体において、
前記保持片部および前記屋内溝部のうちの一方には、前記戸体の面内方向における移動を規制する係止部が形成されている
ことを特徴とする戸体。
【請求項４】
請求項１に記載の戸体において、
前記折曲片部は、前記屋内面部に連続した屋内見込み片部と、前記屋内見込み片部から前記断熱芯材側に折曲された内側片部とによって構成されており、
前記断熱樹脂材は、前記折曲片部が配置される溝空間を形成した屋内溝部を有しており、
前記屋内溝部は、前記屋内見込み片部の外面に当接する溝側面と、前記内側片部の外面に当接する溝底面と、前記溝底面から折曲されて前記内側片部の内面と向かい合う折曲面とによって形成されている
ことを特徴とする戸体。
【請求項５】
請求項１に記載の戸体において、
前記折曲片部は、その屋外端部が前記断熱芯材側に向かうように前記戸体の見込み方向に対して傾斜しており、
前記断熱樹脂材は、前記折曲片部が配置される溝空間を形成した屋内溝部を有している
ことを特徴とする戸体。
【請求項６】
請求項１に記載の戸体において、
前記折曲片部は、前記戸体の見込み方向に沿っており、
前記断熱樹脂材は、前記折曲片部が配置される溝空間を形成した屋内溝部を有しており、
前記折曲片部および前記断熱樹脂材は、前記戸体の面内方向に延びた締結部材によって互いに締結されている
ことを特徴とする戸体。
【請求項７】
請求項１から請求項６のいずれか一項に記載の戸体において、
前記断熱樹脂材は、熱可塑性の材料によって形成されており、
前記断熱樹脂材には、熱膨張耐火材が設けられている
ことを特徴とする戸体。
【請求項８】
建具枠と、前記建具枠に開閉可能に取り付けられた請求項１から請求項７のいずれか一項に記載の戸体とを備えており、
前記建具枠には、前記戸体の断熱樹脂材に当接する戸当り部が形成されている
ことを特徴とする建具。
【発明の詳細な説明】
【技術分野】
【０００１】
本発明は、建物の玄関、勝手口等に用いられる戸体およびこれを備えた建具に関する。
【背景技術】
【０００２】
従来、建具として、枠体と、枠体に対して室外側に開閉可能に取り付けられるドア本体（戸体）とを備えたドアが知られている（特許文献１参照）。ドア本体は、パネル状の断熱材と、断熱材の室外側（屋外側）に設けられた金属製の室外側表面材と、断熱材の室内側（屋内側）に設けられた金属製の室内側表面材と、室外側表面材および室内側表面材の間に配置された樹脂製の端部材とを備えている。室外側表面材および室内側表面材には、それぞれの見付け面部の端部が折曲されて見込み面部が形成されており、これら見込み面部の内面側に前述した樹脂製の端部材が配置されている。
【先行技術文献】
【特許文献】
【０００３】
【特許文献１】特開２０１７−１２００１７号公報
【発明の概要】
【発明が解決しようとする課題】
【０００４】
ところで、特許文献１に記載のドアでは、金属製の室内側表面材が、枠体に取り付けられた気密材（タイト材）に当接する構成とされており、室内側表面材の見込み面部は気密材との当接部分に対して室外側に位置するので、室外側空間の熱が金属製の室内側表面材を介して室内側空間に伝わってしまう。このため、特許文献１では、樹脂製またはゴム製の塞ぎ材（タイト材）を枠体に取り付け、この塞ぎ材を樹脂製の端部材の露出見込み面に当接させることで、室内側表面材が塞ぎ材よりも室外側に露出しない構成とし、室内側空間の熱が室内側表面材を介して室内外間に伝わることを抑制している。
しかし、特許文献１に記載のドアでは、枠体およびドア本体の間に塞ぎ材を設置することで部品点数が増加する。
【０００５】
本発明の目的は、タイト材を増やすことなく断熱性を向上することができる戸体およびこれを備えた建具を提供することにある。
【課題を解決するための手段】
【０００６】
本発明の戸体は、建具枠に対して開閉可能に取り付けられる戸体であって、断熱芯材と、前記断熱芯材の屋外側に設けられた金属製の屋外面材と、前記断熱芯材の屋内側に設けられた金属製の屋内面材とを備えており、前記屋内面材は、前記断熱芯材の屋内側に配置された屋内面部と、前記屋内面部から屋外側に折曲された折曲片部とを有しており、少なくとも一部が、前記折曲片部に対して前記屋内面材の面内方向における外側に配置された断熱樹脂材を有しており、前記断熱樹脂材は、前記折曲片部によって前記戸体の面内方向および面外方向における移動が規制されていることを特徴とする。
本発明の戸体によれば、折曲片部が屋外空間側へ露出することをなくすことができると共に、屋内面材の屋内面に沿って断熱樹脂材の屋内見付け面を配置することが可能となり、この屋内見付け面を建具枠の戸当り部に当接可能な位置に配置することができる。このため、屋外側空間の熱が屋内面材を介して屋内側空間に伝わることを抑制することができて、タイト材を増やすことなく断熱性を向上することができる。
更に、断熱樹脂材は、折曲片部によって面内方向における移動が規制されているので、断熱樹脂材が屋内面材に対して面内方向にガタついて開くことを抑えることができる。また、断熱樹脂材は、折曲片部によって面外方向における移動が規制されているので、断熱樹脂材および屋内面材のうちの一方が他方に対して面外方向にガタつくことを抑えることができる。
【０００７】
本発明の戸体では、前記屋外面材は、前記断熱芯材の屋外側に配置された屋外面部と、前記屋外面部から屋内側に折曲された屋外見込み片部とを有しており、前記屋外見込み片部および前記折曲片部は、前記断熱樹脂材を挟んで互いに締結されており、前記断熱樹脂材および前記折曲片部のうちの一方は、屋内溝部を有しており、前記断熱樹脂材および前記折曲片部のうちの他方は、前記屋内溝部によって形成された溝空間に配置される保持片部を有していてもよい。
このような構成によれば、断熱樹脂材が互いに締結される屋外見込み片部および折曲片部の間に挟まれ、且つ、保持片部が屋内溝部に配置されるので、保持片部が屋内溝部に圧入等されていなくても断熱樹脂材の屋内面材に対するガタつきを抑えることができる。なお、保持片部は屋内溝部に圧入等されていてもよく、この場合には、断熱樹脂材の屋内面材に対するガタつきを、より強く抑えることができる。
【０００８】
本発明の戸体では、前記保持片部および前記屋内溝部のうちの一方には、前記戸体の面内方向における移動を規制する係止部が形成されていてもよい。
このような構成によれば、係止部によって、断熱樹脂材の屋内見込み片部に対する戸体の面内方向における移動を規制することができる。
【０００９】
本発明の戸体では、前記折曲片部は、前記屋内面部に連続した屋内見込み片部と、前記屋内見込み片部から前記断熱芯材側に折曲された内側片部とによって構成されており、前記断熱樹脂材は、前記折曲片部が配置される溝空間を形成した屋内溝部を有しており、前記屋内溝部は、前記屋内見込み片部の外面に当接する溝側面と、前記内側片部の外面に当接する溝底面と、前記溝底面から折曲されて前記内側片部の内面と向かい合う折曲面とによって形成されていてもよい。
このような構成によれば、戸体の面内方向における断熱樹脂材のガタつきは、溝側面が屋内見込み片部の外面に当接し、且つ、溝底面に対する折曲面の折曲部分が内側片部の先端面に当接することで抑えることができる。また、戸体の面外方向における断熱樹脂材のガタつきは、溝底面が内側片部の外面に当接し、且つ、折曲面が内側片部の内面に当接することで抑えることができる。なお、折曲面は、内側片部の外面にぴったりと沿った面であってもよく、また、先端が内側片部から離間するように当該内側片部に対して傾斜した面であってもよい。
【００１０】
本発明の戸体では、前記折曲片部は、その屋外端部が前記断熱芯材側に向かうように前記戸体の見込み方向に対して傾斜しており、前記断熱樹脂材は、前記折曲片部が配置される溝空間を形成した屋内溝部を有していてもよい。
このような構成によれば、断熱樹脂材の屋内面材に対して面内方向および面外方向におけるいずれのガタつきも、断熱樹脂材が前述したように傾斜した折曲片部に掛かることで抑えることができる。
【００１１】
本発明の戸体では、前記折曲片部は、前記戸体の見込み方向に沿っており、前記断熱樹脂材は、前記折曲片部が配置される溝空間を形成した屋内溝部を有しており、前記折曲片部および前記断熱樹脂材は、前記戸体の面内方向に延びた締結部材によって互いに締結されていてもよい。
このような構成によれば、戸体の面内方向における断熱樹脂材のガタつきは、屋内溝部が折曲片部に当接することで抑えることができる。また、戸体の面外方向における断熱樹脂材のガタつきは、折曲片部および断熱樹脂材を締結した締結部材によって抑えることができる。
【００１２】
本発明の戸体では、前記断熱樹脂材は、熱可塑性の材料によって形成されており、前記断熱樹脂材には、熱膨張耐火材が設けられていてもよい。
このような構成によれば、火災時の熱によって断熱樹脂材が軟化や溶融を生じつつ熱膨張耐火材が熱膨張することで、戸体と、この戸体が取り付けられた建具枠との隙間を塞ぐことができる。
【００１３】
本発明の建具は、建具枠と、前記建具枠に開閉可能に取り付けられた前述した本発明の戸体とを備えており、前記建具枠には、前記戸体の断熱樹脂材に当接する戸当り部が形成されていることを特徴とする。
本発明の建具によれば、前述した本発明の戸体の作用効果と同様の作用効果を発揮可能な建具を構成することができる。
【発明の効果】
【００１４】
本発明によれば、タイト材を増やすことなく断熱性を向上することができる戸体およびこれを備えた建具を提供することにある。
【図面の簡単な説明】
【００１５】
【図１】本発明の第１実施形態に係るドアを示す縦断面図。
【図２】第１実施形態に係るドアを示す横断面図。
【図３】第１実施形態に係るドアの要部を拡大して示す断面図。
【図４】本発明の第２実施形態に係るドアを示す縦断面図。
【図５】第２実施形態に係るドアを示す横断面図。
【図６】第２実施形態に係るドアの要部を拡大して示す断面図。
【図７】本発明の第３実施形態に係るドアを示す縦断面図。
【図８】第３実施形態に係るドアを示す横断面図。
【図９】第３実施形態に係るドアの要部を拡大して示す断面図。
【図１０】本発明の第４実施形態に係るドアを示す縦断面図。
【図１１】第４実施形態に係るドアを示す横断面図。
【図１２】第４実施形態に係るドアの要部を拡大して示す断面図。
【発明を実施するための形態】
【００１６】
［第１実施形態］
以下、本発明の実施形態を図面に基づいて説明する。
図１〜３において、第１実施形態に係る建具としてのドア１は、いわゆる片開きであり、建物の外壁開口部に固定される建具枠であるドア枠２と、ドア枠２に開閉可能に支持される戸体である扉３とを備えている。
以下の説明において、ドア１の左右方向をＸ軸方向とし、上下方向をＹ軸方向とし、屋内外方向（奥行方向）をＺ軸方向とする。Ｘ，Ｙ，Ｚ軸方向は互いに直交している。
【００１７】
ドア枠２は、上枠１０、下枠２０および左右の縦枠３０，４０を有している。図２の左側に配置される縦枠３０が吊元側とされてヒンジ４が取り付けられており、図２の右側に配置される縦枠４０が戸先側とされている。ヒンジ４は、旗丁番などによって構成されている。
【００１８】
上枠１０は、図１に示すように、屋外部材１１および屋内部材１２をウレタン樹脂等の断熱材１３で連結して構成された断熱形材であり、屋外部材１１および屋内部材１２は図示略の躯体に固定される。屋外部材１１は、中空枠形状とされたアルミ押出形材であり、Ｚ軸方向に沿った見込み片部１１３を有している。屋内部材１２は、アルミ押出形材であり、Ｚ軸方向に沿った見込み片部１２１と、扉３の屋内面に対する屋内見付け面を構成する戸当り部１２２とを有している。戸当り部１２２は、見込み片部１２１に連続した保持部１２３と、保持部１２３に保持されたタイト材１５とを有している。タイト材１５は、扉３の屋内面に当接して屋内外間の水密性、気密性を保っている。
【００１９】
下枠２０は、アルミ押出形材で構成されており、図１に示すように、Ｚ軸方向に沿った見込み片部２１３と、扉３の屋内面に対する屋内見付け面を構成する戸当り部２２２とを有している。戸当り部２２２は、見込み片部２１３に連続した保持部２２３と、保持部２２３に保持されたタイト材２５とを有している。下枠２０は、例えば、モルタルで納まるため、熱の出入りが少ない。このため、下枠２０は、上枠１０のようなアルミ断熱形材ではなく、屋外側から屋内側まで一体に形成されたアルミ押出形材で構成されている。下枠２０には、ゴム製の沓摺部２４が取り付けられている。下枠２０の屋内露出面は、沓摺部２４と後述するタイト材２５とによって被覆されている。
【００２０】
吊元側の縦枠３０および戸先側の縦枠４０は、図２に示すように、屋外部材３１，４１および屋内部材３２，４２を、ウレタン樹脂等の断熱材３３，４３で連結した断熱形材であり、上枠１０と同様に、屋外部材３１，４１と、屋内部材３２，４２とは、図示略の躯体に固定されている。屋外部材３１，４１は、中空枠形状とされたアルミ押出形材であり、Ｚ軸方向に沿った見込み片部３１３，４１３を備えている。屋内部材３２，４２は、Ｚ軸方向に沿った見込み片部３２１，４２１と、扉３の屋内面に対する屋内見付け面を構成する戸当り部３２２，４２２とを有している。戸当り部３２２，４２２は、見込み片部３２１，４２１に連続した保持部３２３，４２３と、保持部３２３，４２３に保持されたタイト材３５，４５とを有している。
【００２１】
扉３は、縦長矩形状であり、図１，２に示すように、金属製の屋外面材５１と、金属製の屋内面材５２と、断熱芯材５３と、屋内面材５２の周縁を覆って配置された断熱樹脂材５４Ａ，５４Ｂ，５４Ｃ，５４Ｄとを備えており、扉３の戸先側にはエッジ材５５が配置されている。扉３は、屋外面材５１および屋内面材５２が断熱芯材５３の屋外面および屋内面に貼られて平らに仕上げられたフラッシュドアタイプの戸体である。なお、扉３の戸先側には、図示略の操作ハンドルが設けられている。
屋外面材５１および屋内面材５２は鋼板で構成されている。屋外面材５１は、断熱芯材５３の屋外面に沿って配置されている。屋内面材５２は、断熱芯材５３の屋内面に沿って配置されている。断熱芯材５３は、ＥＰＳ（発泡ビーズ法ポリスチレン）製の断熱材で構成されている。ここで、断熱芯材５３は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。扉３の戸先側には、戸先側の縦枠４０に設けられた図示略の錠受けに係止されるラッチボルト６Ａやデッドボルト（図示略）等を出没可能に備える錠ケース６が取り付けられている。断熱樹脂材５４Ａ〜５４Ｄは、ポリ塩化ビニル等の熱可塑性の樹脂材料によって形成されている。断熱樹脂材５４Ａ，５４ＢはＸ軸方向に延びており、断熱樹脂材５４Ｃ，５４ＤはＹ軸方向に延びている。エッジ材５５は、アルミニウムなどの押出形材で形成されており、後述する屋外見込み片部５１３Ｄにリベット止め（図示略）されている。また、エッジ材５５の屋外側部分は、後述する延出見込み片部５１４に掛けられている。
【００２２】
屋外面材５１は、断熱芯材５３の屋外面に接着される屋外面部５１１と、屋外面部５１１の上下の各端縁からＺ軸方向において屋内側に折曲された屋外見込み片部５１３Ａ，５１３Ｂ（図１参照）と、屋外面部５１１の左右の各端縁からＺ軸方向において屋内側に折曲された屋外見込み片部５１３Ｃ，５１３Ｄ（図２参照）とを有している。
屋外見込み片部５１３Ａ，５１３Ｂおよび吊元側の屋外見込み片部５１３Ｃは、扉３のＺ軸方向における中央よりも屋内側まで延びている。屋外見込み片部５１３Ｃには、ヒンジ４がネジ止めされている。
戸先側の屋外見込み片部５１３Ｄは、屋外面部５１１よりも屋外側に延出した延出見込み片部５１４を有していると共に、延出見込み片部５１４から扉３のＺ軸方向における中央よりも屋内側まで延びている。また、屋外面材５１は、屋外見込み片部５１３Ｄの屋内端部から屋外側に折曲された折返し片部５１５と、折返し片部５１５の屋外端部に連続して断面Ｌ字状に形成された配線収容部５１６とを有している。配線収容部５１６は、屋外面部５１１および屋外見込み片部５１３Ｄとの間に配線収容空間を形成している。
【００２３】
屋内面材５２は、断熱芯材５３の屋内面に接着される屋内面部５２１と、屋内面部５２１の上下の各端縁からＺ軸方向において屋外側に折曲された図１に示す屋内見込み片部５２２Ａ，５２２Ｂ（折曲片部）と、屋内面部５２１の左右の各端縁からＺ軸方向において屋外側に折曲された図２に示す屋内見込み片部５２２Ｃ，５２２Ｄ（折曲片部）とを有している。
屋内面部５２１の上下寸法および左右寸法は屋外面部５１１の上下寸法および左右寸法よりも小さく、屋内面部５２１の上下の各端縁は屋外面部５１１の上下の各端縁よりもＹ軸方向内側に位置しており、屋内面部５２１の左右の各端縁は屋外面部５１１の左右の各端縁よりもＸ軸方向内側に位置している。このため、屋内面部５２１の上下の各端縁から屋外側に折曲された屋内見込み片部５２２Ａ，５２２Ｂは、屋外面部５１１の屋外見込み片部５１３Ａ，５１３ＢよりもＹ軸方向内側に位置しており、屋内面部５２１の左右の各端縁から屋外側に折曲された屋内見込み片部５２２Ｃ，５２２Ｄは、屋外面部５１１の屋外見込み片部５１３Ｃ，５１３ＤよりもＸ軸方向内側に位置している。
屋内見込み片部５２２Ａ〜５２２Ｄには、図３（Ａ）に示すように、屋内面部５２１の各端縁から折り返された一方の側片部５２３と、側片部５２３に連続した底片部５２４と、底片部５２４に連続した他方の側片部５２５とによって屋内溝部５２６がそれぞれ形成されている。各側片部５２３には、断熱樹脂材５４Ａ〜５４Ｄを係止する係止部である係止凸部５２３Ａが形成されている。屋内見込み片部５２２Ａの屋内溝部５２６は図１において上方に開口した溝空間を形成しており、屋内見込み片部５２２Ｂの屋内溝部５２６は図１において下方に開口した溝空間を形成しており、屋内見込み片部５２２Ｃの屋内溝部５２６は図２において左側に開口した溝空間を形成しており、屋内見込み片部５２２Ｄの屋内溝部５２６は図２において右側に開口した溝空間を形成している。
【００２４】
断熱樹脂材５４Ａ〜５４Ｃは、Ｚ軸方向に沿った樹脂見込み部５４１と、樹脂見込み部５４１からＺ軸方向に直交する方向に延出した保持片部５４２とを有して断面Ｌ字状に形成されている。
各樹脂見込み部５４１の屋内端面は、各タイト材１５，２５，３５に当接する屋内見付け面５４１Ａとして構成されている。樹脂見込み部５４１の外側見込み面および屋外端面のコーナー部分には面取りが施されており、これにより、後述するように断熱樹脂材５４Ａ〜５４Ｃが仮止めされた屋内面材５２に対して、屋外面材５１を容易に被せることができ、扉３の組立性を向上することができる。各樹脂見込み部５４１は、屋外見込み片部５１３Ａ〜５１３Ｃおよび屋内見込み片部５２２Ａ〜５２２Ｃ間に挟まれている。各樹脂見込み部５４１を挟んでいる屋外見込み片部５１３Ａ〜５１３Ｃおよび屋内見込み片部５２２Ａ〜５２２Ｃは締結部材としてのリベット７によって締結されている。ここで、屋外見込み片部５１３Ａ〜５１３Ｃには、リベット７の径寸法と略等しい径寸法とされた孔５１７が形成されており、各樹脂見込み部５４１には孔５１７よりも径寸法が大きい孔５１８が形成されており、孔５１７，５１８にリベット７が挿通されている。孔５１８は、図３（Ａ）に示すように孔５１７に対して屋内側（屋内面部５２１側）寄りに偏芯して位置しており、孔５１８の内周面における室外側部分がリベット７に当接している。このため、屋外面材５１および屋内面材５２の間にスチール等の骨材を設けなくても、屋外面材５１および屋内面材５２の断熱芯材５３への接着による扉３の剛性確保に加え、前述したリベット７による締結によって、屋外面材５１と屋内面材５２との見込み方向における相互の位置ズレを抑制することができて、扉３の剛性を更に高めることができ、扉３の外形を保持することができる。断熱樹脂材５４Ａ，５４Ｃのうちの露出見込み面は、断熱材１３，３３の見込み面に対向している。
保持片部５４２は、本実施形態では扉３の面内方向に抜けないように屋内溝部５２６に圧入されている。また、保持片部５４２には、前述した係止凸部５２３Ａに係止される被係止部である被係止凹部５４２Ａが形成されている。被係止凹部５４２Ａは、保持片部５４２が屋内溝部５２６によって形成された溝空間に配置された状態で係止凸部５２３Ａに係止されることで、扉３の面内方向において断熱樹脂材５４Ａ〜５４Ｃが強固に保持されている。更に、保持片部５４２は、側片部５２３，５２５に挟まれているので、断熱樹脂材５４Ａ〜５４Ｃの屋内面材５２に対する扉３の面外方向へのガタつきが抑えられている。
【００２５】
戸先側の断熱樹脂材５４Ｄは、図３（Ｂ）に示すように、断熱樹脂材５４Ａ〜５４Ｃと同様に樹脂見込み部５４１および保持片部５４２を有して断面Ｌ字状の部分を有しており、樹脂見込み部５４１が屋内見込み片部５２２Ｄに沿って配置されている。保持片部５４２は、屋内見込み片部５２２Ｄの屋内溝部５２６に圧入されて被係止凹部５４２Ａが係止凸部５２３Ａに係止されることで、断熱樹脂材５４Ｄの屋内面材５２に対する扉３の面内方向におけるガタつきが抑えられている。保持片部５４２は、側片部５２３，５２５に挟まれているので、断熱樹脂材５４Ｄの屋内面材５２に対する扉３の面外方向へのガタつきが抑えられている。樹脂見込み部５４１は屋外見込み片部５１３Ｄおよび屋内見込み片部５２２Ｄの間に挟まれている。屋外見込み片部５１３Ｄおよび屋内見込み片部５２２Ｄはリベット７によって締結されている。ここで、屋外見込み片部５１３Ｄには、リベット７の径寸法と略等しい径寸法とされた孔５１７が形成されており、樹脂見込み部５４１には孔５１７よりも径寸法が大きい孔５１８が形成されており、孔５１７，５１８にリベット７が挿通されている。孔５１８は、図３（Ｂ）に示すように孔５１７に対して屋内側（屋内面部５２１側）寄りに偏芯して位置しており、孔５１８の内周面における室外側部分がリベット７に当接している。このため、屋外面材５１および屋内面材５２の間にスチール等の骨材を設けなくても、屋外面材５１および屋内面材５２の断熱芯材５３への接着による扉３の剛性確保に加え、前述したリベット７による締結によって、屋外面材５１と屋内面材５２との見込み方向における相互の位置ズレを抑制することができて、扉３の剛性を更に高めることができ、扉３の外形を保持することができる。
更に、断熱樹脂材５４Ｄは、樹脂見込み部５４１に連続したタイト材受け部５４３を有している。タイト材受け部５４３は、断面コ字状であり、タイト材４５が当接する屋内見付け面５４３Ａを有している。タイト材受け部５４３および樹脂見込み部５４１によって中空部５４４が形成されている。また、樹脂見込み部５４１には、タイト材受け部５４３との間にエッジ材５５の屋内端部５５Ａが配置される溝空間を形成する突部５４１ＢがＸ軸方向において縦枠４０側に突出して形成されている。なお、タイト材受け部５４３の見付け面は、断熱材４３の見込み面に対向している。
【００２６】
第１実施形態による効果は次の通りである。
（１）第１実施形態では、断熱樹脂材５４Ａ〜５４Ｄは、屋内面材５２の屋内見込み片部５２２Ａ〜５２２Ｄに対して屋内面材５２の面内方向における外側に配置されているので、当該屋内見込み片部５２２Ａ〜５２２Ｄの外側見込み面を覆うことができ、屋内見込み片部５２２Ａ〜５２２Ｄが屋外空間側へ露出することをなくすことができると共に、断熱樹脂材５４Ａ〜５４Ｄの屋内見付け面５４１Ａ，５４３Ａを屋内面部５２１の屋内面に沿って配置することが可能となり、屋内見付け面５４１Ａ，５４３Ａを戸当り部１２２，２２２，３２２，４２２に当接可能な位置に配置することができる。このため、屋外側空間の熱が屋内面材５２を介して屋内側空間に伝わることを抑制することができて、タイト材を増やすことなく断熱性を向上することができる。
更に、断熱樹脂材５４Ａ〜５４Ｄは、屋内見込み片部５２２Ａ〜５２２Ｄによって扉３の面内方向における移動が規制されているので、断熱樹脂材５４Ａ〜５４Ｄが屋内面材５２に対して扉３の面内方向にガタついて開くことを抑えることができる。また、断熱樹脂材５４Ａ〜５４Ｄは、屋内見込み片部５２２Ａ〜５２２Ｄによって扉３の面外方向における移動が規制されているので、断熱樹脂材５４Ａ〜５４Ｄの屋内見込み片部５２２Ａ〜５２２Ｄに対する扉３の面外方向におけるガタつきを抑えることができる。
（２）断熱樹脂材５４Ａ〜５４Ｄが互いに締結される屋外見込み片部５１３Ａ〜５１３Ｄおよび屋内見込み片部５２２Ａ〜５２２Ｄの間に挟まれ、且つ、各保持片部５４２が屋内溝部５２６に配置されるので、保持片部５４２が屋内溝部５２６に圧入等されていなくても断熱樹脂材５４Ａ〜５４Ｄの屋内面材５２に対するガタつきを抑えることができる。なお、保持片部５４２は、屋内溝部５２６に圧入等されていてもよく、この場合には、断熱樹脂材５４Ａ〜５４Ｄの屋内面材５２に対するガタつきを、より強く抑えることができる。
また、屋外見込み片部５１３Ａ〜５１３Ｄおよび屋内見込み片部５２２Ａ〜５２２Ｄをリベット７によって締結するので、屋外見込み片部５１３Ａ〜５１３Ｄおよび屋内見込み片部５２２Ａ〜５２２Ｄの間に骨材を配置しなくても、扉３に必要な剛性を得ることができ、骨材レスの扉３を構成することができる。
（３）保持片部５４２の被係止凹部５４２Ａが係止凸部５２３Ａに係止されることで、断熱樹脂材５４Ａ〜５４Ｄの屋内見込み片部５２２Ａ〜５２２Ｄに対する扉３の面内方向における移動を規制することができる。
また、扉３を組み立てる際、前述した係止によって断熱樹脂材５４Ａ〜５４Ｄを屋内面材５２に仮止めすることができるので、扉３の組立性を向上することができる。
（４）保持片部５４２は、樹脂見込み部５４１の屋内端部に連続しているので、樹脂見込み部５４１が屋外見込み片部５１３Ａ〜５１３Ｄおよび屋内見込み片部５２２Ａ〜５２２Ｄに挟まれた部分に対して屋内側に離れた位置で保持片部５４２が屋内溝部５２６に挿入されるので、断熱樹脂材５４Ａ〜５４Ｄの屋内端部側におけるガタつきを、より強固に抑えることができる。
（５）樹脂見込み部５４１の屋外端部に面取りが施されているので、扉３の組立てにおいて、屋内面材５２に取り付けられた断熱樹脂材５４Ａ〜５４Ｄの周縁に沿って屋外見込み片部５１３Ａ〜５１３Ｄを容易に配置することができ、扉３の組立性を向上することができる。
【００２７】
［第２実施形態］
以下、本発明の第２実施形態を図面に基づいて説明する。
図４〜６において、第２実施形態に係るドア１Ｂは、第１実施形態に係るドア１に対してドア枠２は概略同様に構成されているが、扉３に代えて戸体である扉３Ｂを備えている。
扉３Ｂは、縦長矩形状であり、図４，５に示すように、屋外面材５１Ｂと、屋内面材５２Ｂと、断熱芯材５３と、屋内面材５２Ｂの周縁を覆って配置された断熱樹脂材６４Ａ，６４Ｂ，６４Ｃ，６４Ｄと、扉３Ｂを補強するスチール等の金属製の骨材６５Ａ，６５Ｂ，６５Ｃ，６５Ｄとを備えており、扉３Ｂの戸先側にはエッジ材５５が配置されている。
断熱樹脂材６４Ａ〜６４Ｄは熱可塑性の樹脂材料によって形成されている。扉３Ｂは、屋外面材５１Ｂおよび屋内面材５２Ｂが断熱芯材５３の屋外面および屋内面に貼られて平らに仕上げられたフラッシュドアタイプの戸体である。
【００２８】
屋外面材５１Ｂは、鋼板で形成されており、断熱芯材５３の屋外側に配置された屋外面部６１１と、屋外面部６１１の上下の各端縁からＺ軸方向において屋内側に折曲された屋外見込み片部６１３Ａ，６１３Ｂ（図４参照）と、屋外面部６１１の左右の各端縁からＺ軸方向において屋内側に折曲された屋外見込み片部６１３Ｃ，６１３Ｄとを有している。
屋外見込み片部６１３Ａ，６１３Ｂおよび吊元側の屋外見込み片部６１３Ｃは、扉３ＢのＺ軸方向における中央よりも屋内側まで延びており、それぞれの屋外端部には断熱芯材５３側に折曲された掛止部６１４が形成されている。屋外見込み片部６１３Ｃには、ヒンジ４がネジ止めされている。
戸先側の屋外見込み片部６１３Ｄは、屋外見込み片部６１３Ａ〜６１３Ｃよりも見込み寸法が短く、その屋内端部は扉３ＢのＺ軸方向における中央よりも屋外側に位置している。
【００２９】
屋内面材５２Ｂは、鋼板で形成されており、断熱芯材５３の屋内面に接着される屋内面部６２１と、屋内面部６２１の上下の各端縁からＺ軸方向において屋外側に折曲された折曲片部６２２Ａ，６２２Ｂ（図４参照）と、屋内面部６２１の左右の各端縁からＺ軸方向において屋外側に折曲された折曲片部６２２Ｃ，６２２Ｄ（図５参照）とを有している。
屋内面部６２１の上下寸法および左右寸法は屋外面部６１１の上下寸法および左右寸法よりも小さく、屋内面部６２１の上下の各端縁は屋外面部６１１の上下の各端縁よりもＹ軸方向内側に位置しており、屋内面部６２１の左右の各端縁は屋外面部６１１の左右の各端縁よりもＸ軸方向内側に位置している。このため、屋内面部６２１の上下の各端縁から屋外側に折曲された折曲片部６２２Ａ，６２２Ｂは、屋外面部６１１の屋外見込み片部６１３Ａ，６１３ＢよりもＹ軸方向内側に位置しており、屋内面部６２１の左右の各端縁から屋外側に折曲された折曲片部６２２Ｃ，６２２Ｄは、屋外面部６１１の屋外見込み片部６１３Ｃ，６１３ＤよりもＸ軸方向内側に位置している。
折曲片部６２２Ａ〜６２２Ｄは、屋内面部６２１に連続した屋内見込み片部６２３と、屋内見込み片部６２３から断熱芯材５３側に折曲された内側片部６２４とによってそれぞれ構成されている。
【００３０】
断熱樹脂材６４Ａ〜６４Ｃは、図６（Ａ）に示すように、屋外面材５１Ｂの各掛止部６１４が掛けられる屋外溝部６４１と、折曲片部６２２Ａ〜６２２Ｃが配置される溝空間を形成した屋内溝部６４２とを有している。各屋外溝部６４１は、断熱樹脂材６４Ａ〜６４Ｃの外側見込み面で開口したスリットを形成しており、このスリットに掛止部６１４が差し込まれている。
各屋内溝部６４２は、断熱樹脂材６４Ａ〜６４Ｃの屋内見付け面６４０で開口しており、屋内見込み片部６２３の外面に当接する溝側面６４３と、内側片部６２４の外面に当接する溝底面６４４と、溝底面６４４から折曲されて内側片部６２４の内面と向かい合う折曲面６４５とによって形成されている。溝側面６４３には窪み部が形成されており、この窪み部に熱膨張耐火材８が設置されている。熱膨張耐火材８は、熱膨張黒鉛等によって構成されており、加熱されると熱膨張してドア枠２および扉３Ｂの間を塞ぐものである。折曲面６４５は、その先端が内側片部６２４から離間するように内側片部６２４に対して傾斜した傾斜面とされている。折曲面６４５がこのような傾斜面とされているので、扉３Ｂの組立てにおいて断熱樹脂材６４Ａ〜６４Ｃをその長手方向に沿った軸回りに回転させることで、屋内面材５２Ｂの折曲片部６２２Ａ〜６２２Ｃに容易に取り付けることができ、扉３Ｂの組立性を向上することができる。また、屋内面部６２１および内側片部６２４の間に差し込まれた差込部６４６は、前述した折曲面６４５と、屋内面部６２１側に位置する外側傾斜面６４７とを有している。外側傾斜面６４７は、折曲面６４５と同じ向きに傾斜しており、このように傾斜しているので、前述したように断熱樹脂材６４Ａ〜６４Ｃを屋内面部６２１に干渉させることなく軸回りに回転させることができ、断熱樹脂材６４Ａ〜６４Ｃを屋内面材５２Ｂに更に容易に取り付けられるようになっている。
溝側面６４３が屋内見込み片部６２３に当接し且つ折曲面６４５のうち溝底面６４４から折曲された折曲部分が内側片部６２４の先端面に当接することで、扉３Ｂの面内方向における断熱樹脂材６４Ａ〜６４Ｃの屋内面材５２Ｂに対するガタつきは抑えられる。また、溝底面６４４が内側片部６２４に当接し且つ折曲面６４５（折曲面６４５の基端側の部分）が内側片部６２４に当接することで、扉３Ｂの面外方向における断熱樹脂材６４Ａ〜６４Ｃの屋内面材５２Ｂに対するガタつきは抑えられる。
なお、折曲面６４５は前述した傾斜面とされて断熱樹脂材６４Ａ〜６４Ｃのガタつきを抑えることができると共に扉３Ｂの組立性を向上できるものであるが、例えば内側片部６２４にぴったりと沿った面とされていてもよく、この場合でも断熱樹脂材６４Ａ〜６４Ｃのガタつきを抑えることができる。
【００３１】
戸先側の断熱樹脂材６４Ｄは、図６（Ｂ）に示すように、断熱樹脂材６４Ａ〜６４Ｃと同様に屋内溝部６４２を有し、且つ、熱膨張耐火材８が設置されているが、屋外溝部６４１は有しておらず、骨材６５Ｄの屋内端部が配置される溝空間を形成した骨材用溝部６４８と、エッジ材５５の屋内端部５５Ａが配置される溝空間を形成した突部６４９とを有している。骨材用溝部６４８は断熱樹脂材６４Ｄの屋外見付け面で開口しており、突部６４９は断熱樹脂材６４Ｄの屋外見付け面から突出して断面Ｌ字状に形成されている。
断熱樹脂材６４Ｄは、断熱樹脂材６４Ａ〜６４Ｃと同様に扉３Ｂの面内方向および面外方向における屋内面材５２Ｂに対するガタつきが抑えられている。また、断熱樹脂材６４Ｄは、骨材６５Ｄの屋内端部とエッジ材５５の屋内端部５５Ａとによって面内方向に挟み持たれており、且つ、骨材６５Ｄと折曲片部６２２Ｄとによって面外方向に挟み持たれている。このように挟み持たれることで、断熱樹脂材６４Ｄはより強固に保持されている。
【００３２】
骨材６５Ａ〜６５Ｃは、見込み片部６５１と、見込み片部６５１の屋外端部に連続した屋外側片部６５２と、見込み片部６５１の屋内端部に連続した屋内側片部６５３と、屋内側片部６５３に連続した内側見込み片部６５４とを有している。各見込み片部６５１は屋外面材５１Ｂの屋外見込み片部６１３Ａ〜６１３Ｃの内面に当接しており、屋外側片部６５２および屋内側片部６５３は、骨材６５Ａ〜６５Ｃの見付け方向に沿っている。屋内側片部６５３および内側見込み片部６５４によって、断熱樹脂材６４Ａ〜６４Ｃに対する断面Ｌ字状の裏当て部６６が構成されている。各裏当て部６６は、図６（Ａ）に示すように、折曲片部６２２Ａ〜６２２Ｃおよび掛止部６１４との間で断熱樹脂材６４Ａ〜６４Ｃを挟み持っている。このように挟み持つことで、断熱樹脂材６４Ａ〜６４Ｃはより強固に保持されている。
骨材６５Ｄは、見込み片部６５１と、屋外側片部６５２とを有しており、前述した裏当て部６６を有していない。見込み片部６５１は、屋外見込み片部６１３Ｄの内面に当接している。見込み片部６５１の屋内端部は、前述したように骨材用溝部６４８に配置されている。
なお、骨材６５Ａ〜６５Ｄは、リベット、ネジ等の締結部材によって屋外面材５１Ｂに締結されている。
【００３３】
第２実施形態による効果は次の通りである。
（１）第２実施形態では、断熱樹脂材６４Ａ〜６４Ｄのうちの少なくとも一部は、屋内面材５２Ｂの折曲片部６２２Ａ〜６２２Ｄに対して屋内面材５２の面内方向における外側に配置されているので、当該折曲片部６２２Ａ〜６２２Ｄを覆うことができ、折曲片部６２２Ａ〜６２２Ｄが屋外空間側へ露出することをなくすことができると共に、断熱樹脂材６４Ａ〜６４Ｄの屋内見付け面６４０を屋内面部６２１の屋内面に沿って配置することが可能となり、屋内見付け面６４０を戸当り部１２２，２２２，３２２，４２２に当接可能な位置に配置することができる。このため、屋外側空間の熱が屋内面材５２Ｂを介して屋内側空間に伝わることを抑制することができて、タイト材を増やすことなく断熱性を向上することができる。
更に、断熱樹脂材６４Ａ〜６４Ｄは、折曲片部６２２Ａ〜６２２Ｄによって扉３の面内方向における移動が規制されているので、断熱樹脂材６４Ａ〜６４Ｄが屋内面材５２Ｂに対して扉３Ｂの面内方向にガタついて開くことを抑えることができる。また、断熱樹脂材６４Ａ〜６４Ｄは、折曲片部６２２Ａ〜６２２Ｄによって扉３Ｂの面外方向における移動が規制されているので、断熱樹脂材６４Ａ〜６４Ｄの折曲片部６２２Ａ〜６２２Ｄに対する扉３Ｂの面外方向におけるガタつきを抑えることができる。
（２）断熱樹脂材６４Ａ〜６４Ｄは、折曲片部６２２Ａ〜６２２Ｄと骨材６５Ａ〜６５Ｄとによって挟み持たれているので、断熱樹脂材６４Ａ〜６４Ｄを強固に保持することができる。
（３）扉３Ｂは、骨材６５Ａ〜６５Ｄを備えることで扉３Ｂに必要な剛性を得ることができるので、屋外面材５１Ｂおよび屋内面材５２Ｂをリベット等によって締結する必要がない。このため、屋外面材５１Ｂおよび屋内面材５２Ｂをリベット等によって締結する場合と比べ、屋外面材５１Ｂおよび屋内面材５２Ｂが屋内外間の熱橋となることがないので、断熱性を向上することができる。
（４）断熱樹脂材６４Ａ〜６４Ｄが熱可塑性の材料によって形成されており、当該断熱樹脂材６４Ａ〜６４Ｄに熱膨張耐火材８が設定されているので、火災時の熱によって断熱樹脂材６４Ａ〜６４Ｄが軟化や溶融を生じつつ熱膨張耐火材８が熱膨張し、ドア枠２および扉３Ｂの間の隙間を塞ぐことができる。
【００３４】
［第３実施形態］
以下、本発明の第３実施形態を図面に基づいて説明する。
図７〜９において、第３実施形態に係るドア１Ｃは、第１実施形態に係るドア１に対してドア枠２は概略同様であるが、扉３に代えて戸体である扉３Ｃを備えている。
扉３Ｃは、縦長矩形状であり、図７，８に示すように、屋外面材５１Ｂと、屋内面材５２Ｃと、断熱芯材５３と、屋内面材５２Ｃの周縁を覆って配置された断熱樹脂材７４Ａ，７４Ｂ，７４Ｃ，７４Ｄと、骨材６５Ａ，６５Ｂ，６５Ｃ，６５Ｄとを備えており、扉３の戸先側にはエッジ材５５が配置されている。断熱樹脂材７４Ａ〜７４Ｄは熱可塑性の樹脂材料によって形成されている。扉３Ｃは、屋外面材５１Ｂおよび屋内面材５２Ｃが断熱芯材５３の屋外面および屋内面に貼られて平らに仕上げられたフラッシュタイプの戸体である。屋外面材５１Ｂおよび骨材６５Ａ〜６５Ｄは、第２実施形態で説明した通りの構成である。
【００３５】
屋内面材５２Ｃは、鋼板で形成されており、断熱芯材５３の屋内面に接着される屋内面部７２１と、屋内面部７２１の上下の各端縁から屋外側に折曲された折曲片部７２２Ａ，７２２Ｂ（図７参照）と、屋内面部７２１の左右の各端縁から屋外側に折曲された折曲片部７２２Ｃ，７２２Ｄ（図８参照）とを有している。屋内面部７２１の上下寸法および左右寸法は第２実施形態における屋内面部６２１の上下寸法および左右寸法と同じである。折曲片部７２２Ａ〜７２２Ｄは、その屋外端部が扉３Ｃの面内方向において断熱芯材５３側に向かうように、扉３Ｃの見込み方向に対して傾斜している。折曲片部７２２Ａ〜７２２Ｄの屋内面部７２１に対する傾斜角度は９０度よりも小さい。
【００３６】
断熱樹脂材７４Ａ〜７４Ｃは、図９（Ａ）に示すように、屋外溝部６４１と、折曲片部７２２Ａ〜７２２Ｃが配置される溝空間を形成した屋内溝部７４２と、骨材６５Ａ〜６５Ｃの内側見込み片部６５４が配置される骨材用溝部７４３とを有している。各屋外溝部６４１には、屋外面材５１Ｂの各掛止部６１４が掛けられている。また、断熱樹脂材７４Ａ〜７４Ｃの内部には熱膨張耐火材８が設置されている。各屋内溝部７４２は断熱樹脂材７４Ａ〜７４Ｃの屋内見付け面７４０で開口しており、各骨材用溝部７４３は、断熱樹脂材７４Ａ〜７４Ｃの屋外見付け面で開口している。
各屋内溝部７４２は、その溝底部が扉３Ｃの面内方向において断熱芯材５３側に向かうように、扉３Ｃの見込み方向に対して傾斜しており、その傾斜角度は各折曲片部７２２Ａ〜７２２Ｃの傾斜角度と同じである。
折曲片部７２２Ａ〜７２２Ｃおよび屋内溝部７４２が前述したように傾斜しているので、断熱樹脂材７４Ａ〜７４Ｃが扉３Ｃの面内方向および面外方向のいずれに移動しようとしても折曲片部７２２Ａ〜７２２Ｃに当接して、これらの移動が阻止される。これにより、扉３Ｃの面内方向および面外方向における断熱樹脂材７４Ａ〜７４Ｃの屋内面材５２Ｃに対するガタつきは抑えられている。
また、断熱樹脂材７４Ａ〜７４Ｃは、骨材６５Ａ〜６５Ｃと折曲片部７２２Ａ〜７２２Ｃおよび掛止部６１４とによって挟み持たれることで強固に保持されている。
【００３７】
戸先側の断熱樹脂材７４Ｄは、図９（Ｂ）に示すように、屋内溝部７４２と、骨材用溝部７４３と、突部６４９とを有している。屋内溝部７４２および骨材用溝部７４３は前述した通りの構成であり、突部６４９は第２実施形態で説明した通りの構成である。また、断熱樹脂材７４Ｄの内部には熱膨張耐火材８が設置されている。屋内溝部７４２によって形成された溝空間には折曲片部７２２Ｄが配置されており、骨材用溝部７４３によって形成された溝空間には骨材６５Ｄの屋内端部が配置されており、突部６４９および断熱樹脂材７４Ｄの屋外見付け面の間に形成された溝空間にはエッジ材５５の屋内端部５５Ａが配置されている。
前述した各屋内溝部７４２は、第３実施形態では細長い切欠き形状のスリットによって形成されている。
扉３の面内方向および面外方向における断熱樹脂材７４Ｄの屋内面材５２Ｃに対するガタつきは、断熱樹脂材７４Ａ〜７４Ｃと同様に抑えられている。また、断熱樹脂材７４Ｄは、骨材６５Ｄと折曲片部７２２Ｄおよびエッジ材５５の屋内端部５５Ａとによって挟み持たれることで強固に保持されている。
【００３８】
第３実施形態による効果は次の通りである。
（１）第３実施形態では、断熱樹脂材７４Ａ〜７４Ｄのうち少なくとも一部は、屋内面材５２Ｃの折曲片部７２２Ａ〜７２２Ｄに対して屋内面材５２Ｃの面内方向における外側に配置されているので、当該折曲片部７２２Ａ〜７２２Ｄを覆うことができ、折曲片部７２２Ａ〜７２２Ｄが屋外空間側へ露出することをなくすことができると共に、断熱樹脂材７４Ａ〜７４Ｄの屋内見付け面７４０を屋内面部７２１の屋内面に沿って配置することが可能となり、屋内見付け面７４０を戸当り部１２２，２２２，３２２，４２２に当接可能な位置に配置することができる。このため、屋外側空間の熱が屋内面材５２Ｃを介して屋内側空間に伝わることを抑制することができて、タイト材を増やすことなく断熱性を向上することができる。
更に、断熱樹脂材７４Ａ〜７４Ｄは、折曲片部７２２Ａ〜７２２Ｄによって扉３Ｃの面内方向における移動が規制されているので、断熱樹脂材７４Ａ〜７４Ｄが屋内面材５２Ｃに対して扉３Ｃの面内方向にガタついて開くことを抑えることができる。また、断熱樹脂材７４Ａ〜７４Ｄは、折曲片部７２２Ａ〜７２２Ｄによって扉３Ｃの面外方向における移動が規制されているので、断熱樹脂材７４Ａ〜７４Ｄの折曲片部７２２Ａ〜７２２Ｄに対する扉３Ｃの面外方向におけるガタつきを抑えることができる。
（２）扉３Ｃは前述した骨材６５Ａ〜６５Ｄを備えることで、扉３Ｃに必要な剛性を得ることができるので、屋外面材５１Ｂおよび屋内面材５２Ｃをリベット等によって締結する必要がなく、屋外面材５１Ｂおよび屋内面材５２Ｃが熱橋とならずに断熱性を向上することができる。
（３）載置した型枠内に屋内面材５２Ｃを設置し、断熱樹脂材７４Ａ〜７４Ｄを折曲片部７２２Ａ〜７２２Ｄに取り付け、断熱芯材５３を屋内面材５２Ｃに接着し、骨材６５Ａ〜６５Ｄを配置し、そして、屋外面材５１Ｂを断熱芯材５３に接着して扉３Ｃを組み立てる場合、折曲片部７２２Ａ〜７２２Ｄおよび断熱樹脂材７４Ａ〜７４Ｄが前述したように傾斜しているので、断熱樹脂材７４Ａ〜７４Ｄを面内方向内側から外側に向けて型枠側に押しつけるように移動させながら折曲片部７２２Ａ〜７２２Ｄに簡単に取り付けることができる。これにより、扉３Ｃの組立性を向上することができる。
【００３９】
［第４実施形態］
以下、本発明の第４実施形態を図面に基づいて説明する。
図１０〜１２において、第３実施形態に係るドア１Ｄは、第１実施形態に係るドア１に対してドア枠２は概略同様であるが、扉３に代えて戸体である扉３Ｄを備えている。
扉３Ｄは、縦長矩形状であり、図１０，１１に示すように、屋外面材５１Ｄと、屋内面材５２Ｄと、断熱芯材５３と、屋内面材５２Ｄの周縁を覆って配置された断熱樹脂材８４Ａ，８４Ｂ，８４Ｃ，８４Ｄと、骨材６５Ａ，６５Ｂ，６５Ｃ，６５Ｄとを備えており、扉３Ｄの戸先側にはエッジ材８５が配置されている。断熱樹脂材８４Ａ〜８４Ｄは熱可塑性の材料によって形成されている。扉３Ｄは、屋外面材５１Ｄおよび屋内面材５２Ｄが断熱芯材５３の屋外面および屋内面に貼られて平らに仕上げられたフラッシュタイプの戸体である。屋外面材５１Ｄは、屋外面材５１Ｂから掛止部６１４を除いた構成とされている。
骨材６５Ａ〜６５Ｄは、第２実施形態で説明した通りの構成である。
【００４０】
屋内面材５２Ｄは、鋼板で形成されており、断熱芯材５３の屋内面に接着される屋内面部８２１と、屋内面部８２１の上下の各端縁からＺ軸方向において屋外側に折曲された図１０に示す屋内見込み片部８２２Ａ，８２２Ｂ（折曲片部）と、屋内面部８２１の左右の各端縁からＺ軸方向において屋外側に折曲された図１１に示す屋内見込み片部８２２Ｃ，８２２Ｄ（折曲片部）とを有している。屋内面部８２１の上下寸法および左右寸法は第２実施形態における屋内面部６２１の上下寸法および左右寸法と同じである。屋内見込み片部８２２Ａ〜８２２Ｄは、扉３Ｄの見込み方向に沿っている。
【００４１】
断熱樹脂材８４Ａ〜８４Ｃは、図１２（Ａ）に示すように、屋内見込み片部８２２Ａ〜８２２Ｃが配置される溝空間を形成した屋内溝部８４２を有している。屋内溝部８４２は、断熱樹脂材８４Ａ〜８４Ｃの屋内見付け面８４０で開口しており、屋内見込み片部８２２Ａ〜８２２Ｃに対して外側に位置する溝側面には、熱膨張耐火材８が設置された窪み部が形成されている。断熱樹脂材８４Ａ〜８４Ｃの屋外見付け面は、骨材６５Ａ〜６５Ｃの屋内側片部６５３に対向しており、断熱樹脂材８４Ａ〜８４Ｃの内側見込み面は骨材６５Ａ〜６５Ｃの内側見込み片部６５４に当接している。断熱樹脂材８４Ａ〜８４Ｃ、屋内見込み片部８２２Ａ〜８２２Ｃおよび内側見込み片部６５４は、扉３Ｄの見込み方向に直交する方向に延びた締結部材であるリベット９によって締結されている。
屋内見込み片部８２２Ａ〜８２２Ｃが屋内溝部８４２によって形成された溝空間に配置されているので、扉３Ｄの面内方向における断熱樹脂材８４Ａ〜８４Ｃの屋内面材５２Ｄに対するガタつきが抑えられている。また、断熱樹脂材８４Ａ〜８４Ｃおよび屋内見込み片部８２２Ａ〜８２２Ｃがリベット９によって互いに締結されているので、扉３Ｄの面外方向における断熱樹脂材８４Ａ〜８４Ｃの屋内面材５２Ｄに対するガタつきが抑えられている。
更に、断熱樹脂材８４Ａ〜８４Ｃは、骨材６５Ａ〜６５Ｃの内側見込み片部６５４にリベット９によって締結されることで強固に保持されている。
【００４２】
断熱樹脂材８４Ｄは、図１２（Ｂ）に示すように、屋内見込み片部８２２Ｄが配置される溝空間を形成した屋内溝部８４２を有し、且つ、熱膨張耐火材８が設置されている。この断熱樹脂材８４Ｄは、リベット９によって屋内見込み片部８２２Ｄおよび骨材６５Ｄの見込み片部６５１に締結されている。
前述した各屋内溝部８４２は、第４実施形態では細長い切欠き形状のスリットによって形成されている。
この断熱樹脂材８４Ｄでは、断熱樹脂材８４Ａ〜８４Ｃと同様に扉３Ｄの面内方向および面外方向のガタつきが抑えられており、骨材６５Ｄに締結されることで強固に保持されている。
【００４３】
第４実施形態による効果は次の通りである。
（１）第４実施形態では、断熱樹脂材８４Ａ〜８４Ｄのうちの少なくとも一部は、屋内面材５２Ｄの屋内見込み片部８２２Ａ〜８２２Ｄに対して屋内面材５２Ｄの面内方向における外側に配置されているので、屋内見込み片部８２２Ａ〜８２２Ｄを覆うことができ、屋内見込み片部８２２Ａ〜８２２Ｄが屋外空間側へ露出することをなくすことができると共に、断熱樹脂材８４Ａ〜８４Ｄの屋内見付け面８４０を屋内面部８２１の屋内面に沿って配置することが可能となり、屋内見付け面８４０を戸当り部１２２，２２２，３２２，４２２に当接可能な位置に配置することができる。このため、屋外側空間の熱が屋内面材５２Ｄを介して屋内側空間に伝わることを抑制することができて、タイト材を増やすことなく断熱性を向上することができる。
更に、断熱樹脂材８４Ａ〜８４Ｄは、屋内見込み片部８２２Ａ〜８２２Ｄに対して扉３Ｄの面内方向における移動が規制されているので、断熱樹脂材８４Ａ〜８４Ｄが屋内面材５２Ｄに対して扉３Ｄの面内方向にガタついて開くことを抑えることができる。また、断熱樹脂材８４Ａ〜８４Ｄは、屋内見込み片部８２２Ａ〜８２２Ｄに対して扉３Ｄの面外方向における移動が規制されているので、断熱樹脂材８４Ａ〜８４Ｄの屋内見込み片部８２２Ａ〜８２２Ｄに対する扉３Ｄの面外方向におけるガタつきを抑えることができる。
（２）屋内見込み片部８２２Ａ〜８２２Ｄを骨材６５Ａ〜６５Ｄとリベット９によって締結するので、扉３の剛性を高めることができる。また、断熱樹脂材８４Ａ〜８４Ｄは、互いに締結された屋内見込み片部８２２Ａ〜８２２Ｄおよび骨材６５Ａ〜６５Ｄに挟まれるので、断熱樹脂材８４Ａ〜８４Ｄのガタつきをより強固に抑えることができる。
【００４４】
［変形例］
本発明は、以上の実施形態で説明した構成のものに限定されず、本発明の目的を達成できる範囲での変形例は、本発明に含まれる。
例えば、第１実施形態では、断熱樹脂材５４Ａ〜５４Ｄの保持片部５４２に被係止凹部５４２Ａが形成され、且つ、屋内見込み片部５２２Ａ〜５２２Ｄに係止凸部５２３Ａが形成されているが、これらの構成を省略してもよい。また、各保持片部５４２は、各屋内溝部５２６に圧入されているが、圧入に限られず、屋内溝部５２６によって形成される溝空間に配置されていればよく、この場合でも、樹脂見込み部５４１のうち屋外面材５１および屋内面材５２に挟まれた部分と協働して扉３の面内方向における断熱樹脂材５４Ａ〜５４Ｄのガタつきを抑えることができる。
第４実施形態では、骨材６５Ａ〜６５Ｄが断熱樹脂材８４Ａ〜８４Ｄおよび屋内見込み片部８２２Ａ〜８２２Ｄにリベット９によって締結されているが、骨材６５Ａ〜６５Ｄは締結されていなくてもよい。また、第４実施形態ではリベット９を締結部材としているが、これに限られず、ネジ、ボルト等であってもよい。
扉３Ｂ〜３Ｄは、断熱樹脂材６４Ａ〜６４Ｄ，７４Ａ〜７４Ｄ，８４Ａ〜８４Ｄに熱膨張耐火材８が設置されているが、非防火ドアの場合には、熱膨張耐火材８の構成を省略してもよい。また、扉３において、断熱樹脂材５４Ａ〜５４Ｄに熱膨張耐火材８を設けてもよい。
前記実施形態では、片開きのドア１を建具として説明したが、これに限られず、戸当り部を有した建具枠に開閉可能に戸体が取り付けられるドアであればよい。
【符号の説明】
【００４５】
１，１Ｂ〜１Ｄ…ドア（建具）、１０…上枠、１２２，２２２，３２２，４２２…戸当り部、１５，２５，３５，４５…タイト材、２…ドア枠（建具枠）、２０…下枠、３，３Ｂ〜３Ｄ…扉（戸体）、３０，４０…縦枠、５１，５１Ｂ，５１Ｄ…屋外面材、５１１，６１１…屋外面部、５１３Ａ〜５１３Ｄ，６１３Ａ〜６１３Ｄ…屋外見込み片部、５２，５２Ｂ〜５２Ｄ…屋内面材、５２１，６２１，７２１，８２１…屋内面部、５２２Ａ〜５２２Ｄ，６２３，８２２Ａ〜８２２Ｄ…屋内見込み片部（折曲片部）、５２３Ａ…係止凸部（係止部）、５２６，６４２，７４２，８４２…屋内溝部、５３…断熱芯材、５４１…樹脂見込み部、５４１Ａ，５４３Ａ，６４０，７４０，８４０…屋内見付け面、５４２…保持片部、５４２Ａ…被係止凹部、５４Ａ〜５４Ｄ，６４Ａ〜６４Ｄ，７４Ａ〜７４Ｄ，８４Ａ〜８４Ｄ…断熱樹脂材、５５，８５…エッジ材、６２２Ａ〜６２２Ｄ，７２２Ａ〜７２２Ｄ…折曲片部、６４３…溝側面、６４４…溝底面、６４５…折曲面、６５Ａ〜６５Ｄ…骨材、７，９…リベット（締結部材）、８…熱膨張耐火材。
【図１】
2019108670.tif 000003
【図２】
2019108670.tif 000004
【図３】
2019108670.tif 000005
【図４】
2019108670.tif 000006
【図５】
2019108670.tif 000007
【図６】
2019108670.tif 000008
【図７】
2019108670.tif 000009
【図８】
2019108670.tif 000010
【図９】
2019108670.tif 000011
【図１０】
2019108670.tif 000012
【図１１】
2019108670.tif 000013
【図１２】
2019108670.tif 000014